(57)【要約】【課題】複数のコンピュータが近接して設置されている状況において、１つのワイヤレスマウスを、これら複数のコンピュータの共用の入力用周辺装置として使用することができ、しかも、そのために複雑な手順をほとんど必要とせず、単純な操作だけで可能とする。【解決手段】複数のＩＤ情報を記憶するＩＤ情報記憶手段と、複数のＩＤ情報から１つのＩＤ情報を選択するための選択情報を入力する選択情報入力手段と、選択情報入力手段から入力された選択情報に基づいて、前記ＩＤ情報記憶手段が記憶する複数のＩＤ情報から１つのＩＤ情報を選択するＩＤ情報選択手段と、そのＩＤ情報選択手段が選択した１つのＩＤ情報を通信相手に対する識別情報として通信を行う通信手段とによって、通信端末装置を構成する。【選択図】図１
2006092264.tif 000002
【特許請求の範囲】
【請求項１】
複数のＩＤ情報を記憶するＩＤ情報記憶手段と、
前記複数のＩＤ情報から１つのＩＤ情報を選択するための選択情報を入力する選択情報入力手段と、
前記選択情報入力手段から入力された選択情報に基づいて、前記ＩＤ情報記憶手段が記憶する複数のＩＤ情報から１つのＩＤ情報を選択するＩＤ情報選択手段と、
通信手段とを有し、
前記ＩＤ情報選択手段が選択した１つのＩＤ情報に基づいて通信相手を決定し、
前記決定した通信相手と前記通信手段が通信を行う、
通信端末装置。
【請求項２】
前記通信手段は電波または光線をキャリアとして無線情報通信を行う、
請求項１に記載の通信端末装置。
【請求項３】
前記通信相手はコンピュータであり、
前記コンピュータの入出力用周辺装置として使用される、
請求項１または請求項２に記載の通信端末装置。
【発明の詳細な説明】
【技術分野】
【０００１】
本特許出願に係る発明（以後単に、「本発明」という）は、通信機能を有する電子機器装置である通信端末装置に関するものである。
【０００２】
また、本発明は、無線通信機能を有する電子機器装置である通信端末装置に関するものである。
【０００３】
また、本発明は、赤外線やその他の光線、または微弱電波を使う近距離無線通信機能を有する電子機器装置である通信端末装置に関するものである。
【０００４】
また、本発明は、コンピュータ等に対して情報の入出力を行う周辺装置で、このコンピュータ等と無線通信によって入出力を行う情報を通信する、通信端末装置に関するものである。
【背景技術】
【０００５】
従来の通信端末装置の一例には、例えば、下記特許文献１に記載されたワイヤレスマウス９０８があった。
【０００６】
図６は、この従来の通信端末装置の一例であるワイヤレスマウス９０８の主要部の構成と、通信相手であるコンピュータ９０１の主要部のブロック構成とを示す図である。
【０００７】
このようなワイヤレスマウス９０８では、コンピュータ９０１に対してＩＤ番号を登録し、そのＩＤ番号をコンピュータ９０１が認識することによって使用可能となる。
【０００８】
ただし、コンピュータ９０１とワイヤレスマウス９０８とをセットで購入した時には、予め所定のＩＤ番号がコンピュータ９０１とワイヤレスマウス９０８との双方に設定されており、すぐに使用可能な状態となっている。
【０００９】
しかしながら、このように予め設定されているＩＤ番号は通常全てのワイヤレスマウス９０８に同一ＩＤ番号が設定されていることが多く、あるいは、そうでない場合であっても、たまたま近くで複数の同一ワイヤレスマウス９０８とコンピュータ９０１とをセットで使用している時、これらのワイヤレスマウス９０８に設定されているＩＤ番号が同一ＩＤ番号である可能性がある。
【００１０】
このように、ワイヤレスマウス９０８がコンピュータ９０１と通信に使用する電波や光線が届く範囲に、同じＩＤ番号が設定されたワイヤレスマウス９０８が複数個同時に使用されると、それぞれ互いの通信相手を判別することができず、それぞれの通信データが混信を起して、使用不可能になることがある。
【００１１】
そこで、このような時には、ワイヤレスマウス９０８のＩＤ番号を変更し、それぞれのワイヤレスマウス９０８のＩＤ番号が異なるように設定して、混信を避ける方法が行われる。
【００１２】
このワイヤレスマウス９０８のＩＤ番号を変更する手順は次の通りである。
【００１３】
キーボード９２５の操作によって入力された情報に基づいて、ＨＤＤ９２２に格納されているＩＤ番号設定ユーティリティプログラムが、メモリ９２３に読み込まれると共に、コンピュータ９０１のＣＰＵ９２１によって起動、実行される。
【００１４】
操作者は、コンピュータ９０１の表示部９２７に表示される指示に従って、ＩＤ番号設定ユーティリティの「ＩＤ番号変更」を選択し、実行を開始させる。
【００１５】
以上の操作によって、コンピュータ９０１は、ワイヤレスマウス９０８からの新しいＩＤ番号情報の受信を待機した状態となり、その旨が表示部９２７に表示される。
【００１６】
操作者はこの表示を確認した後、ワイヤレスマウス９０８の裏面（底面）にあるＩＤ切換ボタン（図示せず）を押下する。
【００１７】
このＩＤ切換ボタンが押下されると、ワイヤレスマウス９０８の制御部（図示せず）は、その時点のクロック情報やその他の情報からランダムな番号を生成し、この番号を新しいＩＤ番号として記憶すると共に、そのＩＤ番号を無線送信部９１３からコンピュータ９０１のマウス受信部９２９に対して、微弱電波や赤外線やその他の光線等の無線通信媒体をキャリアとして送信する。
【００１８】
コンピュータ９０１では、上記ワイヤレスマウス９０８からの新しいＩＤ番号情報の受信を待機した状態中に、この新しいＩＤ番号を受信すると、その新しいＩＤ番号を表示部９２７に表示すると共に、操作者に対して、確認のために、ワイヤレスマウス９０８の右ボタン９１１と左ボタン９１２とを同時に押下するよう、メッセージを表示部９２７に表示する。
【００１９】
操作者が、この表示部９２７に表示されたメッセージを読み、表示されている内容に従って、ワイヤレスマウス９０８の右ボタン９１１と左ボタン９１２とを同時に押下すると、その旨が、無線送信部９１３からコンピュータ９０１のマウス受信部９２９に対して送信される。
【００２０】
コンピュータ９０１では、この情報を受信すると、表示部９２７に新しいＩＤ番号の登録が正常に終了したことを表示すると共に、そのＩＤ番号をメモリ９２３とＨＤＤ９２２とに記憶し、ＩＤ番号設定ユーティリティプログラムを正常終了する。
【特許文献１】特開２００３−２１６３３３号公報
【発明の開示】
【発明が解決しようとする課題】
【００２１】
しかしながら、このような従来の通信端末装置の一例であるワイヤレスマウス９０８では、一度あるコンピュータ９０１との間でＩＤ番号を登録すると、そのコンピュータ９０１との間では自由に情報の入力を行うことができるが、そのワイヤレスマウス９０８を他のコンピュータ９９１（図示せず）に対する入力用周辺装置として使用するには、新しいＩＤ番号を登録しなおす必要があった。
【００２２】
なぜなら、従来のＩＤ番号のままでは、元のコンピュータ９０１が応答してしまうからである。
【００２３】
他のコンピュータ９９１において上記ＩＤ番号設定ユーティリティプログラムを起動し、ワイヤレスマウス９０８に対して新しいＩＤ番号に登録しなおすことによって、この他のコンピュータ９９１とワイヤレスマウス９０８との間で自由に情報の入力を行うことが可能になり、ワイヤレスマウス９０８を他のコンピュータ９９１の入力用周辺装置として使用することができる。
【００２４】
このように、ワイヤレスマウス９０８のＩＤ番号は登録しなおされているので、元のコンピュータ９０１との間で混信を起こす可能性はないが、その一方、元のコンピュータ９０１の入力用周辺装置として使用することはできない。
【００２５】
ふたたび元のコンピュータ９０１に対する入力用周辺装置として使用するには、再度、上記ＩＤ番号設定ユーティリティを、今度は、元のコンピュータ９０１において起動し、上記手順を繰り返して行い、もう一度、新しいＩＤ番号を登録しなければならない。
【００２６】
また、これによって、元のコンピュータ９０１との間で情報の入力を行うことは可能になるが、その一方、ふたたび、他のコンピュータ９９１との間では情報の入力を行うことはできない。
【００２７】
このように、ワイヤレスマウス９０８では、近接しているコンピュータ間での混信を避けるため、特定のコンピュータとの間でＩＤ番号の設定を行い、そのＩＤ番号を使って通信を行う。
【００２８】
これによって、近接したコンピュータが複数設置されている状態でも混信を生じることなく通信を行うことができる。
【００２９】
そして、特定のワイヤレスマウスを特定のコンピュータの入力用周辺装置としてのみ使用するのならば、問題はないが、複数のコンピュータが近接して設置されている状況では、１つのワイヤレスマウス９０８を、これら複数のコンピュータの共通の入力用周辺装置として使用したいという要求は当然起こってくる。
【００３０】
このような場合でも、１つのワイヤレスマウス９０８を複数のコンピュータの入力用周辺装置として使用することは可能であるが、しかしまた、それには、上記のように、他のコンピュータ９９１で使用する毎にＩＤ番号設定ユーティリティプログラムを起動してＩＤ番号の設定をやりなおす必要があり、余りに多くの手数を必要とし、実用化にはほど遠いものであった。
【課題を解決するための手段】
【００３１】
上記課題を解決するために、本発明の通信端末装置は、以下のような構成を採る。
【００３２】
本特許出願に係る請求項１に記載の発明は、
複数のＩＤ情報を記憶するＩＤ情報記憶手段と、
前記複数のＩＤ情報から１つのＩＤ情報を選択するための選択情報を入力する選択情報入力手段と、
前記選択情報入力手段から入力された選択情報に基づいて、前記ＩＤ情報記憶手段が記憶する複数のＩＤ情報から１つのＩＤ情報を選択するＩＤ情報選択手段と、
通信手段とを有し、
前記ＩＤ情報選択手段が選択した１つのＩＤ情報に基づいて通信相手を決定し、
前記決定した通信相手と前記通信手段が通信を行う、
通信端末装置である。
【００３３】
本特許出願に係る請求項２に記載の発明は、
前記通信手段は電波または光線をキャリアとして無線情報通信を行う、
請求項１に記載の通信端末装置である。
【００３４】
本特許出願に係る請求項３に記載の発明は、
前記通信相手はコンピュータであり、
前記コンピュータの入出力用周辺装置として使用される、
請求項１または請求項２に記載の通信端末装置である。
【発明の効果】
【００３５】
本発明の通信端末装置は、上記のような構成を採ることによって、複数のコンピュータが近接して設置されている状況において、１つのワイヤレスマウスを、これら複数のコンピュータの共用の入力用周辺装置として使用することができ、しかも、そのために複雑な手順をほとんど必要とせず、単純な操作だけで可能となる。
【発明を実施するための最良の形態】
【００３６】
以下、本発明の実施の形態を、図面を参照しながら説明する。
【００３７】
図１は、本発明の第１の実施の形態であるマウス１００の主要部のブロック構成図である。
【００３８】
尚、本実施の形態では、コンピュータ１９０の１つの入力周辺装置の例として、マウス１００を採り上げて説明するが、本発明は必ずしもマウス１００に限るものではなく、通信端末装置、あるいは、コンピュータの入出力用周辺装置のどのようなものであっても構わない。
【００３９】
例えば、各種のキーボード、タブレット、バーコード入力装置、各種のイメージスキャナ、各種のデジタルカメラ等の画像入力装置、あるいは、その他の各種入出力装置であっても構わない。
【００４０】
図１に示すように、マウス１００は、主に、選択情報入力部１０４、ＩＤ番号生成部１０５、ＩＤ番号選択部１０６、ＩＤ番号記憶部１０８、マウス番号表示部１０２、無線通信部１２０、通信データ生成部１２２、移動センサ部１２４、左右ボタンスイッチ検出部１２６、以上で構成される。
【００４１】
移動センサ部１２４は、このマウス１００の裏面（底面）に設置された発光部と受光部（共に図示せず）とからなり、発光部がマウス１００が設置されている床の表面に光線を発射し、その反射光を受光部が受信することによってこのマウス１００の移動方向と移動距離や移動速度を検出するもので、従来のマウスに使用されているものと特に変わらないので詳細な説明は省略する。
【００４２】
あるいは、移動センサ部１２４は、必ずしもこのような光学式ではなく、球形の回転体がマウス１００の移動に合わせて回転し、この回転量と回転速度とを直交する２軸方向の回転に分解して回転センサで検出する機械式のものであっても構わない。
【００４３】
この機械式の移動センサ部１２４も、従来のマウスに使用されているものと特に変わることはないので詳細な説明は省略する。
【００４４】
左右ボタンスイッチ検出部１２６は、マウス１００の操作面（上面）に設置されている左ボタンと右ボタン（共に図示せず）のオンオフを検出するものである。
【００４５】
マウス１００の操作面には、移動センサ部１２４と共に、各種情報を入力するための左ボタンと右ボタンとが設置されており、操作者はこのボタンをオンオフすることによって各種情報をコンピュータ１９０に入力することができる。
【００４６】
この左ボタンと右ボタンとも、従来のマウス（例えば、図６に示すワイヤレスマウス９０８）に使用されているもの（例えば、左ボタン９１２と右ボタン９１１）と同様であるから、詳細な説明は省略する。
【００４７】
あるいは、本実施の形態であるマウス１００は、必ずしもこのような２ボタン式に限るものではなく、１ボタン式、３ボタン式等であっても構わないし、これらボタン以外にアップダウンスイッチや上下、前後、左右等への回転や移動を表すスイッチを備えていても構わない。しかし、これらはいずれも本発明の本質とは直接関係しないので、詳細な説明は省略する。
【００４８】
移動センサ部１２４や左右ボタンスイッチ検出部１２６が検出した、マウス１００の移動方向と移動距離や移動速度や、左ボタンと右ボタンのオンオフに関する情報は、通信データ生成部１２２へ送られ、コンピュータ１９０と通信するための所定のデータパケット形式に成形される。
【００４９】
このデータパケット形式の一例を図４に示す。
【００５０】
図４に示すのは、本発明に係るマウス１００からコンピュータ１９０へ、マウス１００の移動方向と移動距離、移動速度や、左ボタンと右ボタンのオンオフに関する情報を送信するためのデータパケット形式のあくまでも一例であって、必ずしもこのようなデータパケット形式に限るものではない。
【００５１】
この図４に示すデータパケットは、９６ビット（１２バイト）で構成されている。
【００５２】
パケット識別子は、このデータパケットが、マウス１００からコンピュータ１９０へ、マウス１００の移動方向と移動距離、移動速度や、左ボタンと右ボタンのオンオフに関する情報を送信するためのデータパケットであることを示す情報である。
【００５３】
このパケット識別子には、その他、後述する、コンピュータ１９０から全てのマウス１００に対して送信される、ＩＤ番号設定ユーティリティプログラムが起動されたことと自分自身のＩＤ番号とを通知するデータパケットであることを示すためのものや、新しいＩＤ番号を生成したマウス１００からＩＤ番号設定ユーティリティプログラムが起動されたコンピュータ１９０に送信される、生成したＩＤ番号を自分自身が通信に使用するＩＤ番号として通知するためのデータパケットであることを示すためのものがある。
【００５４】
「宛先コンピュータ１９０のＩＤ番号」は、このデータパケットを送信する相手のコンピュータ１９０のＩＤ番号であり、複数のコンピュータが近接して設置されているような場合で、互いに混信することがないように、ＩＤ番号でこのデータパケットを受け取るべきコンピュータ１９０を指定するものである。
【００５５】
「送り元マウス１００のＩＤ番号」は、このデータパケットを送信する送り元であるマウス１００のＩＤ番号で、複数のコンピュータやマウスが近接して設置され、同時に使用されるような場合で、互いに混信することがないように、ＩＤ番号でこのデータパケットを送信したマウス１００を明確にするものである。
【００５６】
尚、本実施の形態では、データパケットに送信側と受信側とのＩＤ番号を埋め込み、このＩＤ番号を認識することによって、受信側あるいは送信側を判断し、これによって混信を回避する方式を採用した。
【００５７】
しかしながら、この方式はあくまでも１つの例であって、データパケットの受信側と送信側とを識別する方法は必ずしもこのような方式だけに限るものではない。
【００５８】
例えば、通信相手に応じて予め定まっている周波数の電波を使う方式でも、混信を回避することができ、このような例では、データパケット内にＩＤ番号を含めることは必ずしも必要ではない。
【００５９】
また、通信相手に応じて、自分自身のＩＤ番号を変えるような方式も可能で、このような例では、自分自身のＩＤ番号は複数用意しなければならないが、その一方、自分自身がどのＩＤ番号を使用するかによって通信相手は決定されるので、データパケットには自分自身のＩＤ番号だけを含めればよく、通信相手のＩＤ番号は含めなくても構わない。
【００６０】
また、この逆に、通信相手のＩＤ番号だけを使用する方法も、同様に可能である。
【００６１】
このような方法ではまた、各ＩＤ番号を予め確保しておくことも可能で、この方法では後述するような乱数でその都度ＩＤ番号を生成することは必要がなくなる。
【００６２】
どのような方法であっても、各データパケットの送信側と受信側が識別可能な方法であるならば構わないが、本発明の本質とは直接関係しないので、より詳細な説明は省略する。
【００６３】
「左ボタンがオンからオフに変化／オフからオンに変化／変化せず」は、このマウス１００の左ボタンが、オンからオフに変化した、あるいは、オフからオンに変化した、あるいは、変化しなかったことを示す情報で、例えば、オンからオフに変化した時には「０１」、オフからオンに変化した時には「１０」、変化しなかった時には「００」のようにコード化されて、このデータパケットに含まれ、マウス１００からコンピュータ１９０に送信される。
【００６４】
「右ボタンがオンからオフに変化／オフからオンに変化／変化せず」は、このマウス１００の右ボタンが、オンからオフに変化した、あるいは、オフからオンに変化した、あるいは、変化しなかったことを示す情報で、例えば、オンからオフに変化した時には「０１」、オフからオンに変化した時には「１０」、変化しなかった時には「００」のようにコード化されて、このデータパケットに含まれ、マウス１００からコンピュータ１９０に送信される。
【００６５】
「マウス１００の上下方向の移動距離」は、このマウス１００が上下（あるいは、前後）方向に移動された時の、その移動距離を表している。
【００６６】
移動距離を表す単位は、ミリメートル、マイクロメートル、あるいは、回転センサの回転角度等、種々のものが可能で、何であっても構わない。
【００６７】
また、この移動距離は、通常、前にデータパケットを送った後からの移動距離であるが、それ以外のものであっても構わない。
【００６８】
また、例えば、上方向への移動をプラスの値で表すと、下方向への移動はマイナスの値で表すことになるが、その他の表現方法でも構わない。
【００６９】
マイナスの値を表す方法には、符号ビットを用いる方法、１の補数表現法、２の補数表現法、その他の方法があり得るが、これもどのような方法であっても構わない。
【００７０】
「マウス１００の上下方向の移動速度」は、このマウス１００が上下（あるいは、前後）方向に移動された時の、その移動速度を表している。
【００７１】
移動速度を表す単位は、ミリメートル／ミリ秒、マイクロメートル／マイクロ秒、あるいは、回転センサの回転角度／マイクロ秒等、種々のものが可能で、何であっても構わない。
【００７２】
「マウス１００の左右方向の移動距離」は、このマウス１００が左右方向に移動された、その移動距離を表している。
【００７３】
例えば、右方向への移動をプラスの値で表すと、左方向への移動はマイナスの値で表すことになるが、その他の表現方法でも構わない。
【００７４】
その他については、「マウス１００の上下方向の移動距離」と同様であるから、説明を省略する。
【００７５】
「マウス１００の左右方向の移動速度」は、このマウス１００が左右方向に移動された、その移動速度を表している。
【００７６】
その他については、「マウス１００の上下方向の移動速度」と同様であるから、説明を省略する。
【００７７】
無線通信部１２０は、通信データ生成部１２２が作成した図４に示すデータパケットを、何らかの無線通信キャリア信号に重畳し、コンピュータ１９０に向けて発信するものである。
【００７８】
何らかの無線通信キャリア信号とは、例えば、非常に周波数の高い数ＧＨｚ帯の無線電波や、あるいは、それよりも波長の短い何らかの無線電波や、あるいは、赤外線や、可視光線や、その他の各種電磁波であり、どのようなものであって構わない。
【００７９】
上記の通り、本発明に係るマウス１００は、複数のマウス１００と複数のコンピュータ１９０とが、近接して設置され、同時に使用された時にも、互いに混信することがないように、通信に使用するデータパケットには、送り元マウス１００のＩＤ番号と、宛先コンピュータ１９０のＩＤ番号とが含まれ、どのマウス１００からどのコンピュータ１９０へ送受信するデータパケットであるかが識別可能になっている。
【００８０】
さらに、本発明のマウス１００では、複数のコンピュータ１９０のための入力用周辺装置として１つのマウス１００を使用することが、簡単な切換操作だけで可能となっている。
【００８１】
このような機能のための構成要素が、選択情報入力部１０４と、ＩＤ番号選択部１０６と、ＩＤ番号生成部１０５と、マウス番号表示部１０２と、ＩＤ番号記憶部１０８とである。
【００８２】
これらを使って新しいＩＤ番号を生成し、それを記憶し、これを使ってコンピュータ１９０と通信する時の手順を図５に示す。
【００８３】
図５に示す通り、マウス１００でコンピュータ１９０と通信するための新しいＩＤ番号を生成するには、まず最初に、コンピュータ１９０で、ＩＤ番号設定ユーティリティプログラムを起動する（Ｓ５０１）。
【００８４】
コンピュータ１９０では、このプログラムが起動されると、その旨がコンピュータ１９０の表示画面（図示せず）に表示されると共に、通信可能な全てのマウス１００に対して、ＩＤ番号設定ユーティリティプログラムが起動されたことと、自分自身のＩＤ番号とを通知する（Ｓ５０３）。
【００８５】
この通知は、図４に示すデータパケットと同様のデータパケットを使って行われるが、その具体的な詳細は省略する。
【００８６】
但し、この通知のために送信するデータパケットは、このような目的のデータパケットであることを示す識別子が使用され、その他の目的のデータパケットと区別することができる。
【００８７】
また、この通知は、何らかの無線通信キャリア信号に重畳して、コンピュータ１９０の通信部から送信されるが、これについても詳細は本発明の本質と直接関係しないので、説明を省略する。
【００８８】
また、通信可能な全てのマウス１００とは、通常、無線通信キャリア信号の電波が届く範囲内にあるマウス１００であるが、この無線通信キャリア信号が指向性のある電磁波ならば、その送波角内に存在するマウス１００である。
【００８９】
マウス１００は、上記通知を無線通信部１２０で受信し（Ｓ５０５）、受信したＩＤ番号のコンピュータ１９０でＩＤ番号設定ユーティリティプログラムが起動されたことを知ると同時に、ＩＤ番号設定の対象となるマウス１００が自分自身であるか否かを判断するため、操作待ち状態となる。
【００９０】
操作者は、ＩＤ番号設定の対象となるマウス１００で、そのマウス１００を、ＩＤ番号設定ユーティリティプログラムを起動したコンピュータ１９０用のマウス１００として使用しようとする時のマウス番号を、選択情報入力部１０４を使って設定する（Ｓ５０７）。
【００９１】
この本発明の第１の実施の形態であるマウス１００の構成要素である選択情報入力部１０４の概観図を図２に示す。
【００９２】
この選択情報入力部１０４は、円形のつまみに方向を示す矢印が描かれたロータリースイッチ２０４と、その矢印で示される１から８の数字が描かれた文字盤２１５とから構成される。
【００９３】
このつまみを回転させることによって、矢印が示す数字がマウス番号として選択され、選択情報入力部１０４から入力され、ＩＤ番号選択部１０６で記憶される。
【００９４】
この選択されたマウス番号は、マウス番号表示部１０２で表示されるが、図２に示すような選択情報入力部１０４では、ロータリースイッチ２０４の矢印で示される文字盤２１５上に描かれた数字でマウス番号を直ちに知ることができるので、必ずしもこのマウス番号表示部１０２はなくても構わない。
【００９５】
また、図２から解る通り、この選択情報入力部１０４では、マウス番号として１から８までを設定入力することができるが、これもあくまでも一例であって、マウス番号は０から始まっても構わないし、何番で終っても構わないし、必ずしも連続番号でなくても構わないし、あるいは、必ずしも番号ではなく、Ａ、Ｂ、Ｃ等のアルファベットや、イ、ロ、ハ等の文字であっても構わない。
【００９６】
選択情報入力部１０４の他の形態の概観図を図３に示す。
【００９７】
選択情報入力部１０４の他の形態は、押しボタンスイッチ２２９と発光表示部２２７と１から５の数字が描かれた文字盤２２５とで構成される。
【００９８】
この押しボタンスイッチ２２９のどれかを押下することによって、発光表示部２２７のその押しボタンスイッチ２２９の対応する位置に設置されているものが発光し、文字盤２２５上のその押しボタンスイッチ２２９の対応する位置に描かれている番号が、マウス番号として選択される。
【００９９】
このようにして選択情報入力部１０４の他の形態によって選択されたマウス番号は、ＩＤ番号選択部１０６で記憶されると同時に、マウス番号表示部１０２で表示される。
【０１００】
しかしながら、この選択情報入力部１０４の他の形態では、発光表示部２２７によってマウス番号を示す文字盤上の対応する数字の横が発光するので、必ずしもこのようなマウス番号表示部１０２は存在しなくても構わないし、マウス番号表示部１０２を発光表示部２２７と文字盤２２５が兼ねているということもできるし、あるいは、マウス番号表示部１０２は発光表示部２２７と文字盤２２５そのものであると考えることもできる。
【０１０１】
次に、操作者は、ＩＤ番号設定の対象となるマウス１００で、そのマウス１００の右ボタンスイッチと左ボタンスイッチとを同時に押下する（Ｓ５０９）。
【０１０２】
これは、マウス１００に、ＩＤ番号設定の対象となるマウス１００であることを入力するためである。
【０１０３】
あるいは、このマウス１００にＩＤ番号設定の対象となるマウス１００であることを入力するために、右ボタンスイッチと左ボタンスイッチとを同時に押下するのは、あくまでも一例であって、その他、専用のスイッチを使用する、右ボタンスイッチか左ボタンスイッチかのいずれかあるいは両方を一定時間内に所定回数連続して押す等、その他種々の方法で、マウス１００にＩＤ番号設定の対象となるマウス１００であることを入力しても構わない。
【０１０４】
この左右のボタンスイッチが同時に押下されたマウス１００では、ＩＤ番号生成部１０５が１６ビットの乱数を生成し、この乱数を、現在、選択情報入力部１０４によって選択されているマウス番号に対応する自分自身のＩＤ番号、即ち、ＩＤ番号設定ユーティリティプログラムが起動されたコンピュータ１９０用の入力用周辺装置として使用する時のマウス１００のＩＤ番号として、ＩＤ番号記憶部１０８の、対応するマウス番号の領域に、受信したコンピュータ１９０のＩＤ番号と共に記憶する（Ｓ５１１）。
【０１０５】
例えば、現在、選択情報入力部１０４によって選択されているマウス番号が、図２に示すように「２」であったと仮定し、ＩＤ番号生成部１０５が生成した乱数が「９３０１４」であり、受信したコンピュータ１９０のＩＤ番号が「２７４９０」であったと仮定すると、図１に示すように、ＩＤ番号記憶部１０８のマウス番号が（２）である記憶領域に、宛先コンピュータのＩＤ番号として「２７４９０」が、自分自身（マウス１００）のＩＤ番号として「９３０１４」が記憶される。
【０１０６】
この自分自身（マウス１００）のＩＤ番号は、１６ビットの乱数で設定されるので、たまたま同じ値になる可能性は極めて低く、万一同じ値になってしまった時には、もう一度設定しなおせばよい。
【０１０７】
次に、このＩＤ番号を生成したマウス１００は、この生成したＩＤ番号を、自分自身が通信に使用するＩＤ番号として、ＩＤ番号設定ユーティリティプログラムが起動されたコンピュータ１９０に送信する（Ｓ５１３）。
【０１０８】
このＩＤ番号の送信も、図４に示すのと同様のデータパケットによって通信されるが、詳細な説明は省略する。
【０１０９】
只、データパケットのパケット識別子が、新しいＩＤ番号の通知であることを知らせるデータパケットであることを示す値に設定される。
【０１１０】
この新しいＩＤ番号の通知であるデータパケットを受信したコンピュータ１９０は、今後自分自身に入力が行われるマウス１００のＩＤ番号として、この受信したデータパケットに含まれるＩＤ番号をメモリ（図示せず）とＨＤＤ（図示せず）とに記憶保存し（Ｓ５１５）、その旨を表示部（図示せず）に表示して、ＩＤ番号設定ユーティリティプログラムを正常終了する。
【０１１１】
新しいＩＤ番号を送信したマウス１００でも、上記の通り、現在、選択情報入力部１０４によって選択されているマウス番号に対応するＩＤ番号、即ち、ＩＤ番号設定ユーティリティプログラムが起動されたコンピュータ１９０用の入力用周辺装置として使用する時の自分自身（マウス１００）のＩＤ番号として、ＩＤ番号記憶部１０８の、対応するマウス番号の領域に記憶して（Ｓ５１１）、新しいＩＤ番号の生成と記憶とを終了する。
【０１１２】
そして、さらに、このコンピュータ１９０用の入力用周辺装置として使用する時のマウス１００のＩＤ番号を設定したマウス１００を、他のコンピュータ１９０用の入力用周辺装置として使用する時には、その、他のコンピュータ１９０でＩＤ番号設定ユーティリティプログラムを起動し、上記説明と同様にして、また別のＩＤ番号を、このマウス１００の自分自身のＩＤ番号として設定し、記憶保存する。
【０１１３】
但し、この時には、最初のコンピュータ１９０の時と、異なるマウス番号を、選択情報入力部１０４で設定しなければならず、このそれぞれ選択情報入力部１０４で設定したマウス番号が、それぞれのコンピュータ１９０用の入力用周辺装置としてマウス１００を使用する時のマウス番号となる。
【０１１４】
この操作を、必要に応じて繰り返すことによって、例えば図２に示すような選択情報入力部１０４であるならば、マウス番号を８個まで登録することができるので、１つのマウス１００を同時に８台のコンピュータ１９０において、入力用周辺装置として使用することができる。
【０１１５】
あるいは、例えば図３に示すような選択情報入力部１０４であるならば、マウス番号を５個まで登録することができるので、１つのマウス１００を同時に５台のコンピュータ１９０において、入力用周辺装置として使用することができる。
【０１１６】
より多くのマウス番号を登録することができれば、１つのマウス１００を同時にその数のコンピュータ１９０において、入力用周辺装置として使用することができる。
【０１１７】
但し、この場合では、図１に示す、ＩＤ番号記憶部１０８の記憶領域も、その数に相当するだけ必要である。
【０１１８】
次に、このマウス１００をコンピュータ１９０の入力用周辺装置として使用し、例えばカーソルの移動情報や左右ボタンのオンオフ情報が入力された場合を説明する。
【０１１９】
まず、操作者は、このマウス１００を入出力用周辺装置として使用しようとするコンピュータ１９０に合わせて、選択情報入力部１０４を設定する。
【０１２０】
これは、その使用しようとするコンピュータ１９０でＩＤ番号設定ユーティリティプログラムを起動し、そのマウス１００のＩＤ番号を生成記憶する時に、選択情報入力部１０４で設定していたマウス番号である。
【０１２１】
上記の通り、あるコンピュータ１９０用の入力用周辺装置としてマウス１００を使用する時のコンピュータ１９０のＩＤ番号とマウス１００のＩＤ番号とは、このマウス番号に対応するＩＤ番号記憶部１０８の領域に記憶されており、このＩＤ番号を使用してマウス１００とコンピュータ１９０とが通信することによって、複数のマウス１００とコンピュータ１９０とのセットが同時に電波の届く範囲で使用されるような場合でも、互いに混信することなく使用することができるからである。
【０１２２】
選択情報入力部１０４がこのマウス番号に設定されると、その情報がＩＤ番号選択部１０６へ送られ、ＩＤ番号記憶部１０８のそのマウス番号に対応する領域に記憶されている宛先コンピュータのＩＤ番号と自分自身（マウス１００）のＩＤ番号とが、ＩＤ番号記憶部１０８から読み出される。
【０１２３】
例えば、選択情報入力部１０４が「５」に設定されたとすると、マウス番号「５」に対応する宛先コンピュータ１９０のＩＤ番号として、「３１０５７」が、自分自身（マウス１００）のＩＤ番号として「８２１４２」が、読み出される。
【０１２４】
ＩＤ番号記憶部１０８から読み出されたこれらのＩＤ番号は、通信データ生成部１２２へ送られ、後述する図４に示すデータパケットにおける「宛先コンピュータ１９０のＩＤ番号」および「送り元マウス１００のＩＤ番号」としてデータパケット生成時に使用される。
【０１２５】
そして、マウス１００が操作されて、例えば上下左右に移動されたとすると、それに対応した値が移動センサ部１２４で生成され、その値が通信データ生成部１２２へ送られる。
【０１２６】
通信データ生成部１２２では、このデータと上記「宛先コンピュータ１９０のＩＤ番号」と、「送り元マウス１００のＩＤ番号」とを使って、図４に示す通信データパケットが生成され、無線通信部１２０へ送られる。
【０１２７】
無線通信部１２０では、この通信データ生成部１２２が作成した図４に示すデータパケットを、何らかの無線通信キャリア信号に重畳してコンピュータ１９０へ送信する。
【０１２８】
コンピュータ１９０では、この通信データに、送り元マウス１００のＩＤ番号と、宛先コンピュータ１９０のＩＤ番号とが含まれているので、複数のマウス１００とコンピュータ１９０とのセットが、近接して、無線通信キャリア信号が届く範囲に設置されていたとしても、混信することなく、自分自身(コンピュータ１９０)への、自分用のマウス１００からの入力データであることを判断し、入力データとして処理することができる。
【０１２９】
また、あるいは、マウス１００が操作されて、例えば左ボタンや右ボタンがオンオフされたとすると、それに対応した情報が左右ボタンスイッチ検出部１２６で生成され、その値が通信データ生成部１２２へ送られる。
【０１３０】
通信データ生成部１２２では、このデータと上記「宛先コンピュータ１９０のＩＤ番号」と、「送り元マウス１００のＩＤ番号」とを使って、図４に示す通信データパケットが生成され、無線通信部１２０へ送られる。
【０１３１】
無線通信部１２０では、この通信データ生成部１２２が作成した図４に示すデータパケットを、何らかの無線通信キャリア信号に重畳してコンピュータ１９０へ送信する。
【０１３２】
この通信データにも、送り元マウス１００のＩＤ番号と、宛先コンピュータ１９０のＩＤ番号とが含まれているので、複数のマウス１００とコンピュータ１９０とのセットが、近接して、無線通信キャリア信号が届く範囲に設置されていたとしても、混信することなく、コンピュータ１９０では自分自身(コンピュータ１９０)への、自分用のマウス１００からの入力データであることを判断し、入力データとして処理することができることは、マウスが移動された時と同様である。
【０１３３】
そして、今まであるコンピュータ１９０についての入力用周辺装置として使用していたマウス１００を、ある時、他のコンピュータ１９０についての入力用周辺装置として使用するには、選択情報入力部１０４で設定するマウス番号を、その、他のコンピュータ１９０でＩＤ番号設定ユーティリティプログラムを起動してマウス１００のＩＤ番号を設定した時に、選択情報入力部１０４で設定していたマウス番号にするだけでよい。
【０１３４】
これによって、ＩＤ番号記憶部１０８から読み出される「宛先コンピュータ１９０のＩＤ番号」と「送り元マウス１００のＩＤ番号」とが、その、他のコンピュータ１９０とこのマウス１００との通信で使用される「宛先コンピュータ１９０のＩＤ番号」と「送り元マウス１００のＩＤ番号」とに変更されるので、それ以後は、このマウス１００の操作によって移動センサ部１２４や左右ボタンスイッチ検出部１２６で検出されたデータは、その、他のコンピュータ１９０のための入力用周辺装置としてのマウス１００から、他のコンピュータ１９０のための入力データとして、他のコンピュータ１９０に送信されることになるからである。
【０１３５】
あるいは、また、この、他のコンピュータ１９０についてのＩＤ番号が未だ設定されていないことがあるかも知れない。
【０１３６】
このようなケースでは、その、他のコンピュータ１９０でＩＤ番号設定ユーティリティプログラムを起動し、マウス１００で新しいＩＤ番号を生成し、記憶保存しなければならない。
【０１３７】
そして、この時には、選択情報入力部１０４で、今まで使っていなかったマウス番号を設定しなければならない。
【０１３８】
このようにすることによって、この新しく選択情報入力部１０４で設定したマウス番号を、以後、この、他のコンピュータ１９０についてマウス１００を入力用周辺装置として使用する時のマウス番号として使用することが可能になる。
【０１３９】
あるいは、さらにまた、他のコンピュータ１９０でＩＤ番号設定ユーティリティプログラムを起動し、マウス１００で新しいＩＤ番号を生成し、記憶保存しようとする時に、選択情報入力部１０４で設定する今まで使っていなかったマウス番号が、既に使い尽くしていることがあるかも知れない。
【０１４０】
このような場合では、このマウス１００を、この他のコンピュータ１９０についての入力用周辺装置として使用することを諦めるか、あるいは、既に使用しているマウス番号と同一番号を使用しても構わない。
【０１４１】
但し、この後者の方法では、従来このマウス番号で使用していたコンピュータ１９０についての入力用周辺装置としてこのマウス１００を使用することが、以後できなくなる。
【０１４２】
しかしながらまた、永遠に使用することができないわけでは勿論なく、そのコンピュータ１９０についても、再度、ＩＤ番号の設定を行うならば、使用可能となる。
【産業上の利用可能性】
【０１４３】
本発明にかかる通信端末装置は、上記のような構成を採ることによって、複数のコンピュータが近接して設置されている状況において、１つのワイヤレスマウスを、これら複数のコンピュータの共用の入力用周辺装置として使用することができ、しかも、そのために複雑な手順をほとんど必要とせず、単純な操作だけで可能であり、産業上の利用可能性は極めて大きい。
【図面の簡単な説明】
【０１４４】
【図１】本発明の第１の実施の形態であるマウス１００の主要部のブロック構成図
【図２】本発明の第１の実施の形態であるマウス１００の構成要素である選択情報入力部１０４の概観図
【図３】本発明の第１の実施の形態であるマウス１００の構成要素である選択情報入力部１０４の他の形態の概観図
【図４】マウス１００からコンピュータ１９０に送られる通信データパケットの構成図
【図５】マウス１００において新しいＩＤ番号を設定する時の手順を示す流れ図
【図６】従来の通信端末装置の一例であるワイヤレスマウス９０８の主要部の構成と、通信相手であるコンピュータ９０１の主要部のブロック構成とを示す図
【符号の説明】
【０１４５】
１００    マウス
１０２    マウス番号表示部
１０４    選択情報入力部
１０５    ＩＤ番号生成部
１０６    ＩＤ番号選択部
１０８    ＩＤ番号記憶部
１２０    無線通信部
１２２    通信データ生成部
１２４    移動センサ部
１２６    左右ボタンスイッチ検出部
１９０，９０１    コンピュータ
２０４    ロータリースイッチ
２１５，２２５    文字盤
２２７    発光表示部
２２９    押しボタンスイッチ
９０８    ワイヤレスマウス
９１１    右ボタン
９１２    左ボタン
９１３    無線送信部
９２１    ＣＰＵ
９２２    ＨＤＤ
９２３    メモリ
９２５    キーボード
９２７    表示部
９２９    マウス受信部
【図１】
2006092264.tif 000003
【図２】
2006092264.tif 000004
【図３】
2006092264.tif 000005
【図４】
2006092264.tif 000006
【図５】
2006092264.tif 000007
【図６】
2006092264.tif 000008